(57)【要約】【課題】水や洗浄剤などの液体の清掃用液を、被清掃面に対して効率よく塗布して洗浄清掃ができることは勿論、被清掃面上に残った清掃用液を効率的に回収することができる清掃具の提供を図る。【解決手段】清掃用のヘッド１１と、ヘッド１１の上面側に少なくとも前後に回動可能に設けられた柄２１とを備える。ヘッド１１は、その上から下方に基板１４、掻き集め部１３及び清掃部１２を備える。清掃用液を用いて清掃部１２を清掃し、ヘッド１１を裏返しにした状態で清掃後の清掃用液を掻き集め部１３によって掻き集めることができる。【選択図】図１
0003192157.tif 000002
【実用新案登録請求の範囲】
【請求項１】
下面側に清掃部を有するヘッドと、前記ヘッドの上面側に設けられた柄とを備え、床等の被清掃面に対して前記清掃部を接触させた状態で少なくとも前後に移動させることによって清掃する清掃具において、
前記ヘッドは、前記清掃部と、前記清掃部の上方に設けられた掻き集め部とを備え、
前記柄は、前記ヘッドを裏返しに出来るように、前記ヘッドに対して回動可能に設けられ、
清掃用液を用いて前記被清掃面を前記清掃部によって清掃し、前記ヘッドを裏返しにした状態で清掃後の前記清掃用液を前記掻き集め部によって掻き集めることができるようにしたことを特徴とする清掃具。
【請求項２】
前記ヘッドは、前記柄が取り付けられた基板と、前記基板の下面に設けられた板状の掻き集め部と、前記掻き集め部の下面に設けられた前記清掃部とを備え、
前記掻き集め部及び前記清掃部は、前記基板よりも大きく、
前記被清掃面に対して前記基板を鋭角に傾けた状態では前記掻き集め部のみが前記被清掃面に対して接触することを特徴とする請求項１記載の清掃具。
【請求項３】
前記ヘッドを裏返しにした状態で清掃後の前記清掃用液を前記掻き集め部によって掻き集める際に、前記柄が前記ヘッドの上面に当接することによって、前記柄と前記ヘッドとが安定することを特徴とする請求項２記載の清掃具。
【請求項４】
前記基板は、前記柄の先端を前後に回動可能に保持する軸支部を備え、
前記柄は、回動子と、前記回動子に対して左右に回動可能な先端部とを備え、
前記回動子は前記軸支部に対して前後に回動可能に軸支され、
前記ヘッドを裏返しにした状態で清掃後の前記清掃用液を前記掻き集め部によって掻き集める際に力を加えることにより、前記先端部は、その先端側と基端側との２箇所で前記基板に対して当接することを特徴とする請求項２記載の清掃具。
【請求項５】
前記掻き集め部は、発泡樹脂製若しくはゴム製の板状体であり、
前記清掃部は、前記掻き集め部の下面に設けられた不織布製の板状体であることを特徴とする請求項２〜４の何れかに記載の清掃具。
【考案の詳細な説明】
【技術分野】
【０００１】
本考案は、清掃具、特に清掃に際して水や洗浄剤などの液体の清掃用液を用いて清掃する清掃具に関するものである。
【背景技術】
【０００２】
清掃に際して水や洗浄剤などの液体の清掃用液を用いて清掃する清掃具についてはは、特許文献１〜３に示すものなどが提案されている。ところが、前記清掃用液をうまく絞れるようにしたものや、水などを多量に使わなくてすむようにしたものの提案であって、水や洗浄剤などの液体の清掃用液をうまく回収するための提案については見るべきものがないのが現状である。
【０００３】
他方、業務用の床の洗浄にあっては、前記清掃用液を比較的多く用いて、効率よく洗浄することがなされているが、床上に残った清掃用液を効率的に回収することに関しては改善の余地を残すものである。
【先行技術文献】
【特許文献】
【０００４】
【特許文献１】特開２０１４−４６１４４公報
【特許文献２】特開２０１４−３３８９６公報
【特許文献３】特開平８−６６３４６公報
【考案の概要】
【考案が解決しようとする課題】
【０００５】
本考案は、床などの洗浄や清掃に際して、水や洗浄剤などの液体の清掃用液を、被清掃面に対して効率よく塗布して洗浄清掃ができることは勿論、被清掃面上に残った清掃用液を効率的に回収することができる清掃具を提供することを課題とする。
【課題を解決するための手段】
【０００６】
本考案は、下面側に清掃部を有するヘッドと、前記ヘッドの上面側に設けられた柄とを備え、床等の被清掃面に対して前記清掃部を接触させた状態で少なくとも前後に移動させることによって清掃する清掃具の改良に関するものである。本考案に係る清掃具にあっては、前記ヘッドが、前記清掃部と、前記清掃部の上方に設けられた掻き集め部とを備える。前記柄は、前記ヘッドを裏返しに出来るように、前記ヘッドに対して回動可能に設けられる。これによって、清掃用液を用いて前記被清掃面を前記清掃部によって清掃し、前記ヘッドを裏返しにした状態で清掃後の前記清掃用液を前記掻き集め部によって掻き集めることができる。
【０００７】
前記ヘッドは、前記柄が取り付けられた基板と、前記基板の下面に設けられた板状の掻き集め部と、前記掻き集め部の下面に設けられた前記清掃部とを備え、前記掻き集め部及び前記清掃部は、前記基板よりも大きく、前記被清掃面に対して前記基板を鋭角に傾けた状態では前記掻き集め部のみが前記被清掃面に対して接触するものとして実施することができる。
【０００８】
また、前記ヘッドを裏返しにした状態で清掃後の前記清掃用液を前記掻き集め部によって掻き集める際に、前記柄が前記ヘッドの上面に当接することによって、前記柄と前記ヘッドとが安定するものとすることができる。
さらに、前記基板は、前記柄の先端を前後に回動可能に保持する軸支部を備え、前記柄は、回動子と、前記回動子に対して左右に回動可能な先端部とを備え、前記回動子は前記軸支部に対して前後に回動可能に軸支されたものとすることができる。そして、前記ヘッドを裏返しにした状態で清掃後の前記清掃用液を前記掻き集め部によって掻き集める際に力を加えることにより、前記先端部は、その先端側と基端側との２箇所で前記基板に対して当接するように実施することで、ヘッドの安定性をさらに向上させることができる。
【０００９】
これらヘッドの各部の素材は特に限定されないが、前記掻き集め部は、発泡樹脂製若しくはゴム製の板状体として実施することができ、また、前記清掃部は、前記掻き集め部の下面に設けられた不織布製の板状体として実施することができる。
【考案の効果】
【００１０】
本考案に係る清掃具は、その１つの清掃具のみによって、水や洗浄剤などの液体の清掃用液を、被清掃面に対して効率よく塗布して洗浄清掃ができると共に、被清掃面上に残った清掃用液を効率的に回収することもできるものである。これによって、清掃作業の効率化を、今まで以上に図ることが可能となったものである。
【図面の簡単な説明】
【００１１】
【図１】本考案の実施の形態に係る清掃具の清掃部による作業を行なっている状態を示す斜視図。
【図２】同清掃具の掻き集め部による作業を行なっている状態を示す斜視図。
【図３】同清掃具の柄を基板対して直交させた状態の正面図。
【図４】（Ａ）同清掃具の柄を基板に対して直交させた状態の側面図、（Ｂ）同清掃具の柄を基板に接触させた状態の側面図。
【図５】同清掃具の柄を基板に接触させて掻き集め部による作業を行なっている状態の側面図。
【図６】同清掃具による清掃作業の手順を示す説明図。
【考案を実施するための形態】
【００１２】
以下、図面に基づき本考案の実施の形態を説明する。
【００１３】
（全体構造）
この実施の形態に係る清掃具は、ヘッド１１と、ヘッド１１の上面に設けられた柄２１とを備える。
ヘッド１１は、その上面に基板１４を備え、基板１４の下面に掻き集め部１３を備え、掻き集め部１３の下面に清掃部１２を備える。この基板１４の上面中央には、一対の第１軸支部１５が取り付け板１６を介して固定されている。これらの各部材の固定には、接着剤や熱溶着による固定や一体成型や螺子などの締結具などの適宜固定手段が適用され得る。
【００１４】
柄２１は、柄本体２２と、その先端に設けられた先端部３１及び回動子４１を備え、回動子４１が第１軸支部１５に回動可能に支持されている。
【００１５】
（ヘッド１１について）
ヘッド１１の基板１４は、清掃部１２及び掻き集め部１３を支持して剛性を付与するもので、アルミニウムなどの金属板や硬質合成樹脂板によって構成することができる。
基板１４の下面に接着などで固定された掻き集め部１３は、水や洗浄剤などの清掃用液を掻き集めるためのもので、発泡樹脂製若しくはゴム製などで構成されることができ、この例では平面視４角形をなしている。
この掻き集めるための部分は、前辺と後辺とにあればよく、他の部分は清掃用液を掻き集める機能を備えないものであってもよい。従って、他の素材で構成することもでき、前記の基板１４の前辺と後辺とに掻き集め部１３を設けるものとして実施することもできる。この例では、掻き集め部１３は基板１４よりも一回り大きな板状をなしており、その前後左右が掻き集め部１３よりもはみ出して設けられている。
【００１６】
清掃部１２は、水や洗浄剤などの清掃用液を床などの被清掃面５１に塗布したり場合によっては擦ったりするためのもので、不織布やスポンジなどの板状体で構成することができる。この例では、掻き集め部１３と清掃部１２とは略同一形状同一大きさとして実施されているが、掻き集め部１３と清掃部１２の大きさや形状は、一方を他方よりも少しだけ大きなものとしたり異なる形状とすることも可能である。これは、清掃部１２はその下面を清掃面として主として使用するものであり、掻き集め部１３はその前後の辺や角を掻き集めるために使用するものであるため、その機能に応じた形状とすることができる。
【００１７】
基板１４の上面には、取り付け板１６を介して左右一対の第１軸支部１５が立設されている。取り付け板１６は第１軸支部１５の固定を確実になすためのもので、この例では、基板１４の上面よりも一段高くなっているが、基板１４と面一に設けることも可能であり、また、第１軸支部１５を基板１４に直接取り付けて取り付け板１６を省略することもできる。以上がヘッド１１を構成する部材であり、これらは同体として構成され、固定されている。
【００１８】
（柄２１について）
柄２１は、円筒筒状の柄本体２２と、その先端に設けられた先端部３１及び回動子４１を備える。
柄本体２２は、１本の棒状体であってもよく、伸縮可能な棒状体であってもよく、この例では中空の金属筒を伸縮可能に組み合わせたものとして実施されている。
【００１９】
柄本体２２の先端には、先端部３１が設けられている。この先端部３１は、先端筒３４と、先端筒３４の先端側に設けられたアーム３３とを備え、先端筒３４は締付筒３６を介して柄本体２２の先端に着脱可能に取り付けられている。図示は省略するが、先端筒３４の基端側と締付筒３６とは互いに螺合する雄ねじ及び雌ねじを備え、締付筒３６を回動させることによって、柄本体２２の先端が締め付けられて、固定される。
【００２０】
先端筒３４の先端には前後一対のアーム３３が延設され、両アーム３３の先端には第２回動軸３２が突設されている。なお、先端筒３４とアーム３３との間にはリブ３５が上下方向に形成されることによって、アーム３３に適度の強度を付与している。
第２回動軸３２は、回動子４１の第２軸支部４３に挿入されることによって、先端部３１（ひいては柄本体２２）が左右に回動可能に軸支されている。この左右の回動は省略して実施することも可能であり、実用新案登録請求の範囲における回動は、この回動ではなく、次に述べる回動子４１の第１回動軸４２と前述の第１軸支部１５との回動を意味する。
【００２１】
回動子４１は、中央に前後方向に伸びる前記の第２軸支部４３と、左右両側に突出する第１回動軸４２を備える。前述のとおり、第２軸支部４３の前後からアーム３３の第２回動軸３２が回動可能に挿入されることによって、前述の左右の回動がなされる（図３参照）。また、左右両側に突出する第１回動軸４２が、ヘッド１１側の左右一対の第１軸支部１５に挿入されることによって、前後の回動がなされる（図４参照）。以上の構成によって、ヘッド１１と柄２１とは、前後に回動可能であり、加えて、この例では左右にも回動可能となっている。なお、これらの回動のための構成は単なる一例であり、種々変更して実施することができる。
【００２２】
（清掃方法）
この清掃具は、次の工程によって、被清掃面５１を清掃することができる。
【００２３】
・洗浄工程
図６（Ａ）（Ｂ）に示す洗浄工程では、ヘッド１１の下面（即ち清掃部１２）の全体を被清掃面５１に付けて前後左右に動かす。その際、清掃具は通常のモップのように柄２１を持って動かせばよく、柄２１は水平な基板１４から斜め上方後方に伸びることになる。
【００２４】
まず、図６（Ａ）に示すように、床面などの被清掃面５１に清掃用液を塗布する。この例では、出願人の製造販売に係る洗浄剤が用いられているが水などの他の清掃用液であってもよい。次に図６（Ｂ）に示すように、清掃用液の作用によって浮き上がった汚れを軽くブラッシングする。
【００２５】
・汚水集め工程
図６（Ｃ）（Ｄ）（Ｅ）に示す汚水集め工程は、上述の洗浄工程による汚水を含む清掃用液を１箇所に集める工程である。その際、ヘッド１１は反転させて立てて用いる。
【００２６】
より具体的には、洗浄工程で水平な基板１４から斜め上方後方に伸びている柄２１を、軽く上に持ち上げながら後方に引く。これによって、ヘッド１１は、第１軸支部１５及び第１回動軸４２を中心に回動して、反転して後方に立ち上がり、ヘッド１１と柄２１とが当接して立ち上がった状態を保つ（図２、図５参照）。
【００２７】
この立ち上がった状態では、掻き集め部１３の後辺が被清掃面５１に接触した状態となり、掻き集め部１３の前辺が斜め上方後方に回動して、掻き集め部１３の後辺の上方後方に位置し、基板１４は被清掃面５１に対して鋭角ｘに傾けた状態となる。この状態で柄２１を後方に引くことで、清掃用液を能率的に１箇所に集めることができる。
【００２８】
その際、柄２１の先端部３１がヘッド１１の上面に当接することによって、ヘッド１１と柄２１とが安定する。より詳しくは、ヘッド１１と柄２１とは、第１当接箇所６１（即ちアーム３３と取り付け板１６との当接箇所）と、第２当接箇所６２（即ちリブ３５と基板１４との当接箇所）との少なくとも何れか一方で当接することによって、この当接箇所と、第１軸支部１５及び第１回動軸４２の回動部との２箇所で支持されるため、安定した状態を保つことができる。さらに、掻き集め部１３によって掻き集める際に柄２１を介して力を加えることにより、回動のクリアランスとわずかな弾性変形によって第１当接箇所６１と第２当接箇所６２との２箇所でヘッド１１と柄２１とが当接する状態となり、極めて安定した状態となる。
【００２９】
・回収工程
図６（Ｆ）（Ｇ）（Ｈ）に示す汚水の回収工程は、上述の汚水集め工程にて集められた汚水を含む清掃用液を、回収具５２に回収する工程である。具体的には塵取り状の回収具５２を集めた清掃用液の後に置いて、反転させて立てたヘッド１１を後方に移動させることによって、回収具５２に清掃用液を入れるようにする。回収具５２に入った清掃用液はバケツなどの容器に集めればよい。
【００３０】
以上、本考案によれば、上記の各工程を１本の清掃具によって完結することができ、極めて能率的な清掃作業を実現することができたものである。
【符号の説明】
【００３１】
１１  ヘッド
１２  清掃部
１３  掻き集め部
１４  基板
１５  第１軸支部
１６  取り付け板
２１  柄
２２  柄本体
３１  先端部
３２  第２回動軸
３３  アーム
３４  先端筒
３５  リブ
３６  締付筒
４１  回動子
４２  第１回動軸
４３  第２軸支部
５１  被清掃面
【図１】
0003192157.tif 000003
【図２】
0003192157.tif 000004
【図３】
0003192157.tif 000005
【図４】
0003192157.tif 000006
【図５】
0003192157.tif 000007
【図６】
0003192157.tif 000008